(57)【要約】【課題】磁石以外の部品がプラスチックまたはアルミニウム製等からなる鉄以外の素材からなる磁力による回転装置を提供するものである。【解決手段】磁石以外の部品２がプラスチックまたはアルミニウム製等からなる鉄以外の素材で、軸止３した回転円盤４上の外縁に多数の内磁石片７を取着し、該円盤４の外周には僅かの間隔をあけて複数個の外磁石片８を配設し、前記内磁石片７と外磁石片８の対向先端を同じ磁極側にし、その反発力によって円盤４と軸３を回転させるようにした回転装置１を構成するものである。【選択図】図１
0003127250.tif 000002
【実用新案登録請求の範囲】
【請求項１】
磁石以外の部品がプラスチックまたはアルミニウム製等からなる鉄以外の素材で、軸止した回転円盤上の外縁に多数の内磁石片を取着し、該円盤の外周には僅かの間隔をあけて複数個の外磁石片を配設し、前記内磁石片と外磁石片の対向先端を同じ磁極側にし、その反発力によって円盤と軸を回転させるようにしたことを特徴とする回転装置。
【請求項２】
前記内磁石片である永久磁石を１個毎に磁極が反対になるように配置し、外磁石片である永久磁石の先端磁極をはじめは１つの内磁石片である永久磁石の先端磁極と同じ磁極とし、外磁石片の先端磁極は、つぎの永久磁石の先端磁極と反対の磁極になるように配設した請求項１に記載の回転装置。
【請求項３】
前記内磁石片である永久磁石を１個毎に磁極が反対になるように配置し、外磁石片である電磁石の先端磁極をはじめは１つの内磁石片である永久磁石の先端磁極と同じ磁極とし、つぎの永久磁石の先端磁極と反対の磁極になるように配設した請求項１に記載の回転装置。
【請求項４】
前記装置が、室内物干し器・汲み上げポンプ・赤ちゃん用の回るがらがら器・吊り下げ扇風機・回転広告塔である請求項１ないし３のいずれかに記載の回転装置。
【考案の詳細な説明】
【技術分野】
【０００１】
本考案は、回転装置に係るものであり、更に詳しくは、磁石の反発力を利用した回転装置に関するものである。
【背景技術】
【０００２】
室内物干し器は、特に雨天の時、洗濯物が乾きにくいので、回転させることが望ましい。その回転装置として、物干し器に関する先行技術が公知である（例えば特許文献１）。
【特許文献１】特開平７−２０４３９０号公報
【０００３】
特許文献１には、中央支持軸と部分竿との間、各部分竿間の連結部分に、反発力を持つ磁石手段を装着しているが、押し出し方向に反発力を利用しているものである。従って、磁石の反発力を各部分竿の回転に利用しているものではない。
【０００４】
また磁力による回転装置としての先行技術もある（例えば実用新案文献１、実用新案文献２）。
【特許文献２】実開平５−１１７８８号公報
【特許文献３】実開平７−４２５６５号公報
【０００５】
しかし、特許文献２は、回転させたい方向に、遮蔽物を設置するものである。また特許文献３は、相互の磁石片を対設するのではなく、上下から挟み込むようにして反発させたものであって、素材には言及されていない。そして周りの素材が鉄製であると、磁石のききが悪くなり、回転しない欠点がある。
【考案の開示】
【考案が解決しようとする課題】
【０００６】
上記の事情に鑑み本考案は、磁石以外の部品がプラスチックまたはアルミニウム製等からなる鉄以外の素材からなる磁力による回転装置を提供することを課題とする。
【課題を解決するための手段】
【０００７】
本考案は、上記目的を達成するために、磁石以外の部品がプラスチックまたはアルミニウム製等からなる鉄以外の素材からなり、軸止した回転円盤上の外縁に多数の内磁石片を取着し、該円盤の外周には僅かの間隔をあけて４個乃至複数個の外磁石片を配設し、上記内磁石片と外磁石片の対向先端を同じ磁極側にし、その反発力によって円盤と軸を回転させるようにした回転装置を構成するものである。
【考案の効果】
【０００８】
本考案の回転装置は、磁石以外の部品をプラスチックまたはアルミニウム製等からなる鉄以外の素材にしたので、永久磁石の反発作用がよくなった。
【０００９】
本考案の回転装置は、内の回転磁石片を多数取り付けるようにしたので、斑なくスムースに回転するようになった。
【考案を実施するための最良の形態】
【００１０】
以下、本考案の実施例を図面に基づいて詳しく説明する。
【実施例１】
【００１１】
図１は、本考案の回転装置を室内物干し器に利用した状態を示す一実施例の斜視図、図２は、本考案の回転装置の要部を示す平面図である。
【００１２】
本考案の回転装置１は、磁石以外の部品からなる基台２が、プラスチックまたはアルミニウム製等からなる鉄以外の素材で構成されている。基台２の中央には、中心に軸３を軸止する円盤４が、ボ−ルベアリング（図示せず）を介して枢着している。従って、円盤４と軸３は、伴って回転される。
【００１３】
図１の実施例では、軸３の上部に部分竿５…５を放射状に突出している。部分竿５…５には、洗濯物６が吊り下げられる。回転円盤４上の外縁には、多数の回転する内磁石片７…７を取着している。
【００１４】
円盤４の外周には、僅かの間隔をあけて４方向に、固定された外磁石片８…８を配設している。この外磁石片８…８は、基台２と同じ素材からなる側壁２ａ，２ａに取着している。本実施例では、外磁石片８，８が４個の場合を示したが、外磁石片はそれ以上配設することもできる。
【００１５】
そして内磁石片７…７と外磁石片８，８は、強力な永久磁石であり、その対向先端を同じ磁極側にしている。図２の場合には、僅かの間隔で、共に同じＮ極が対設して配置された状態を示している。従って、その反発力によって円盤４と軸３は、一旦動き出せば連続して回転するようにするには、内磁石片７…７と外磁石片８，８は、予め回転方向に傾斜して配置するか、回転させたい方向に遮蔽板を設けるように配置することができる。
【００１６】
また、内磁石片７…７には永久磁石を用い、外磁石片８…８は磁化方向を可変にできる電磁石を用いてもよい。
即ち、内磁石片７…７である永久磁石を１個毎に磁極が反対になるように配置し、外磁石片８…８である電磁石の先端磁極をはじめは１つの内磁石片７である永久磁石の先端磁極と同じ磁極とする。このとき、外磁石片８の先端磁極は、つぎの永久磁石の先端磁極と反対の磁極になる。
【００１７】
そうすると、外磁石片８の選択磁極は、１つの内磁石片７の先端磁極とは反発し、つぎの内磁石片７の選択磁極とは引き合うことになり、円盤４は回転を始める。
【００１８】
つぎに、つぎの内磁石片７が外磁石片８の位置を越えた瞬間に、外磁石片８の選択磁極を変更するように制御すると、外磁石片８の選択磁極は、つぎの内磁石片７の先端磁極と反対になり、次の次の内磁石片７の先端磁極とは同じ磁極になるので、円盤４は更に回転する。
【００１９】
上記のように、内磁石片７…７には永久磁石を用い、外磁石片８…８は磁化方向を可変にできる電磁石を用いた例を示したが、外磁石片８…８は磁化方向を可変にできる永久磁石を用いることもできる。そうすると、外磁石片８の選択磁極は、１つの内磁石片７の先端磁極とは反発し、つぎの内磁石片７の選択磁極とは引き合うことになり、円盤４は回転を始める。
【００２０】
つぎの内磁石片７が外磁石片８の位置を越えた瞬間に、外磁石片８の選択磁極を変更するように制御すると、外磁石片８の選択磁極は、つぎの内磁石片７の先端磁極と反対になり、次の次の内磁石片７の先端磁極とは同じ磁極になるので、円盤４は更に回転する。
【産業上の利用可能性】
【００２１】
本考案の回転装置は、室内物干し器・汲み上げポンプ・赤ちゃん用吊り下げ回転具・扇風機・回転広告塔等に広く利用することができる。
【図面の簡単な説明】
【００２２】
【図１】本考案の回転装置を室内物干し器に利用した状態を示す一実施例の斜視図である。
【図２】本考案の回転装置の要部を示す平面図である。
【符号の説明】
【００２３】
１    回転装置
２    基台
２ａ  基台の側壁
３    軸
４    円盤
５    部分竿
６    洗濯物
７    内磁石片
８    外磁石片
【図１】
0003127250.tif 000003
【図２】
0003127250.tif 000004